(57)【要約】【課題】  コスト高にならず、見栄え良くかつ面剛性があるパンチング面材を提供すること。【解決手段】少なくとも一部の縁部２４を残して多数のパンチング孔２１が穿設されたパンチング部２５を有する面材２０の縁部２４をコ字状に折り返し、マチ部２２とパンチング部２５に対向する折り返し部２３を設け、折り返し部２３にパンチング孔２１と同軸上にパンチング孔２１より小さな取り付け孔２６を設けたパンチング面材としている。【選択図】  図２ 
2005307645.tif 000002
【特許請求の範囲】
【請求項１】
少なくとも一部の縁部を残して多数のパンチング孔が穿設されたパンチング部を有する
面材の前記縁部をコ字状に折り返し、マチ部と前記パンチング部に対向する折り返し部を
設け、該折り返し部に前記パンチング孔と同軸上に前記パンチング孔より小さな取り付け
孔を設けたことを特徴とするパンチング面材。
【請求項２】
請求項１において、前記パンチング孔は前記取り付け孔に使用する固定具の頭が貫通す
ることを特徴とするパンチング面材。
【請求項３】
請求項１又は２のパンチング面材をバルコニー手すり壁に用いたことを特徴とするバル
コニー手すり。
【請求項４】
請求項１又は２のパンチング面材を、前記パンチング孔を貫通し前記取り付け孔より大
きな頭を有する固定具を用いて固定することを特徴とするパンチング面材の固定方法。
【発明の詳細な説明】
【技術分野】
【０００１】
この発明は、多数のパンチング孔を有するパンチング面材、これを用いたバルコニー手
すり及びパンチング面材の固定方法に関するものである。
【背景技術】
【０００２】
従来、この種の技術は、図３に示す特許文献１のようなものがある。これによれば、上
下に平行に配設された横枠１，２及び縦枠３で形成される枠体は、その空間に襷がけに補
強材４が配設され、横枠１を上方から覆うように笠置５が設けられており、横枠１，２、
縦枠３と補強部材４とが面一に配されているところにパンチング面材６が当接し、空間を
塞ぐようにビス７で固定されている。
【特許文献１】特開平８−１３７３４号公報
【発明の開示】
【発明が解決しようとする課題】
【０００３】
しかしながら、このような技術では、パンチング面材を取り付けるビスの頭が直に丸見
えであり、見栄えが悪いという問題、さらにはパンチング面材は、平板であり面剛性が弱
く補強部材等の支持を必要としてコスト高であったり、端縁ではビス間で浮き、波打ちが
出たりして見栄えが悪いという問題があった。
【０００４】
そこで、この発明は、上記問題に鑑みてコスト高にならず、見栄え良くかつ面剛性があ
るパンチング面材及びこれを用いたバルコニー手すり、さらには簡単容易で、面剛性もあ
り、見栄えもするパンチング面材の固定方法を提供することを目的としている。
【課題を解決するための手段】
【０００５】
この目的を達成するため、請求項１の発明は、少なくとも一部の縁部を残して多数のパ
ンチング孔が穿設されたパンチング部を有する面材の前記縁部をコ字状に折り返し、マチ
部と前記パンチング部に対向する折り返し部を設け、該折り返し部に前記パンチング孔と
同軸上に前記パンチング孔より小さな取り付け孔を設けたことを特徴とするパンチング面
材としている。
【０００６】
また、請求項２の発明は、請求項１において、前記パンチング孔は前記取り付け孔に使
用する固定具の頭が貫通することを特徴とするパンチング面材としている。固定具とは、
ビス、ボルト、釘をいう。
【０００７】
また、請求項３の発明は、請求項１又は２のパンチング面材をバルコニー手すり壁に用
いたことを特徴とするバルコニー手すりとしている。
【０００８】
さらに、請求項４の発明は、請求項１又は２のパンチング面材を、前記パンチング孔を
貫通し前記取り付け孔より大きな頭を有する固定具を用いて固定することを特徴とするパ
ンチング面材の固定方法としている。
【発明の効果】
【０００９】
請求項１の発明によれば、縁部をコ字状に折り返しており、固定したときに折り曲げ角
により面を引張させ面剛性を上げることができ、周囲に浮きや波打が発生しない。しかも
パンチング孔を通過する釘やビス等の固定具で取付られ、これら固定具が直に見えず見栄
えがする。
【００１０】
請求項２の発明によれば、請求項１の効果に加え、パンチング孔を貫通したビスでパン
チング面材を確実に固定することができる。
【００１１】
請求項３の発明によれば、上記請求項１又は２の効果に加え、バルコニーの手すりに採
用でき、面剛性が確保され、補強部材の配置の自由度が得られ、補強部材が不要になる場
合には大きな原価低減ができ、しかも、他のもの例えばルーバーなどの設置が出来る。
【００１２】
請求項４の発明によれば、この固定方法により、ビス等の固定具の頭が見えず見栄えが
し、面剛性のあるパンチング面材を用いたバルコニー手すりを提供することが出来る。
【発明を実施するための最良の形態】
【００１３】
以下、図面に基づいてこの発明を説明する。
【００１４】
図１は、バルコニー手すりを水平に断面し、上方から見た状態を示している。種々の型
材等を組み合わせて柱状の縦枠１０を構成し、この縦枠１０をバルコニーに立て、図示し
ない上下に配置された横枠及び上横枠を覆う笠置が設けられてバルコニー手すりの骨組み
が構成されている。
【００１５】
このバルコニー手すりの内側には、パンチング面材２０がビス７で縦枠１０の面に張り
付けるように固定されている。この図の部分では、縦枠１０の位置で、２個のパンチング
面材２０がその端部を間隔を空けて付き合わして固定されている。
【００１６】
このパンチング面材２０は、例えば図２に端部の断面部分を拡大して詳細に示されてい
る。これによれば、少なくとも一部の縁部２４を残して多数のパンチング孔２１が穿設さ
れたパンチング部２５を有する面材２０の縁部２４をコ字状に折り返し、マチ部２２とパ
ンチング部２５に対向する折り返し部２３を設けている。この折り返し部２３に選択され
たパンチング孔２１と同軸上にパンチング孔２１より小さな取り付け孔２６を設けてパン
チング面材２０としている。
【００１７】
図２で示すように、パンチング面材２０は、従来の平板と違い、マチ部２２を持ってお
り、マチ部２２とパンチング部２５とによって角が形成され、剛性が高められている。し
たがって、折り返し部２３がビス７で留められると、前述の角は、剛性がアップし浮き、
波打が生じない。従来のような補強材４も不要でコスト削減ができ、しかも、浮き、波打
がなく、ビス７の頭７ａも見えないので意匠的にも良く見栄えもする。
【００１８】
このようなパンチング面材２０は、通常パンチングメタルと言われるように鋼材、アル
ミ材等の金属であっても良いし、合成樹脂材であっても良い。
【００１９】
また、パンチング孔２１は取り付け孔２６に使用するビス７の頭７ａが貫通する大きさ
で、取り付け孔２６は、ビス７のネジ部７ｂを貫通させ、頭７ａを貫通させない大きさと
している。
【００２０】
また、バルコニー手すりは、前述のパンチング面材２０をバルコニー手すり壁として用
いて風通しを確保して目隠し効果も確保している。
【００２１】
さらに、このようなパンチング面材２０を、パンチング孔２１を貫通し取り付け孔２６
より大きな頭を有するビス７を用いて固定するパンチング面材２０の固定方法を採用して
いる。
【００２２】
取り付け孔２６にビス７を用いてパンチング面材２０を固定するには、図２で示すよう
なパンチング孔２１を貫通しうるドライバー８が必要である。
【００２３】
なお、この実施例では、パンチング面材２０の前側には、ルーバー３０が多段に配設さ
れ、風通しを確保し、目隠し効果も確保している。
【図面の簡単な説明】
【００２４】
【図１】この発明のパンチング面材を用いたバルコニー手すりの水平断面図である。
【図２】図１の要部拡大断面図である。
【図３】従来のパンチング面材を用いたバルコニー手すりの垂直断面図である。
【符号の説明】
【００２５】
７                  ビス（固定具）
７ａ                  頭
７ｂ                  ネジ部
１０                  縦枠
２０                  パンチング面材
２１                  パンチング孔
２２                  マチ部
２３                  折り返し部
２４                  縁部
２５                  パンチング部
２６                  取り付け孔
３０                  ルーバー
【図１】
2005307645.tif 000003
【図２】
2005307645.tif 000004
【図３】
2005307645.tif 000005